(57)【要約】      （修正有）【課題】フック孔を有する縦柱の斬新な組み付け構造を提供する。【解決手段】上下に組み付けられ、矩形筒形態を呈する２本の縦柱１０と、２本の縦柱の相異なる端部のジョイント開口１２の間に組み合わせられた挿入具２０とを備え、縦柱に複数のフック孔のパターン１１が設けられ、縦柱のそのジョイント開口に近接する箇所に第１及び第２締結孔１３１，１３２が形成され、一端のジョイント開口と、第１または第２締結孔との間にフック孔のパターンが設けられている。挿入具は、さらに縦柱のジョイント開口に近接する箇所のフック孔のパターンと互いに位置合わせされた退避空間２１と、挿入具に設けられ、第１締結孔と位置合わせされることで、第１締結部３１により締結されている第１位置規制孔２２１と、挿入具に設けられ、第２締結孔と位置合わせされることで、第２締結部３２により締結されている第２位置規制孔２２２とを有する。【選択図】図２
0003218113.tif 000002
【実用新案登録請求の範囲】
【請求項１】
上下に組み付ける２本の縦柱１０と、挿入具２０とを備えている、フック孔を有する縦柱の組み付け構造であって、
各前記縦柱１０は、４つの側壁を含む矩形中空筒形態であり、そのうちの少なくとも２つの側壁に上下に間隔をあけて配置されている複数のフック孔のパターン１１が設けられ、前記縦柱１０の２つの端部にいずれもジョイント開口１２を有し、前記縦柱１０の側壁の各前記ジョイント開口１２に近接する箇所に第１締結孔１３１と、第２締結孔１３２とが形成され、かつ前記縦柱のうち１本の縦柱の端部のジョイント開口１２と、それに近接する第１締結孔１３１及び第２締結孔１３２のうちのいずれか１つとの間にフック孔のパターン１１が設けられ、２本の縦柱１０は、相異なる端部のジョイント開口１２を介して互いに組み付けると、その組み付け箇所に近接する区間としての第１締結孔１３１と第２締結孔１３２との間にフック孔のパターン１１を有する配置形態が構成され、
前記挿入具２０は、双方向挿入形態で前記２本の縦柱１０の相異なる端部のジョイント開口１２の間に組み合わせられ、前記挿入具２０の横断面形状は、各前記縦柱１０のジョイント開口１２への挿入に適合し、
かつ前記挿入具２０は、さらに前記挿入具２０の少なくとも２つの側壁に設けられた少なくとも２つの退避空間２１と、前記挿入具２０の少なくとも１つの側壁に設けられ、かつ少なくとも１つの退避空間２１の一端側に間隔をあけた箇所に位置する少なくとも１つの第１位置規制孔２２１と、前記挿入具２０の少なくとも１つの側壁に設けられ、かつ少なくとも１つの退避空間２１の他端側に間隔をあけた箇所に位置する少なくとも１つの第２位置規制孔２２２とを有し、
前記少なくとも２つの退避空間２１と、前記１本の縦柱１０のジョイント開口１２に近接する箇所に設けられたフック孔のパターン１１とを互いに位置合わせして連通させ、かつ前記少なくとも２つの退避空間２１の輪郭外形が前記フック孔のパターン１１の輪郭外形よりも大きく形成され、
かつ各第１位置規制孔２２１は、それに相対応する第１締結孔１３１と位置合わせされることで、第１締結部３１により締結され、
かつ各第２位置規制孔２２２は、それに相対応する第２締結孔１３２と位置合わせされることで、第２締結部３２により締結されていることを特徴とする、フック孔を有する縦柱の組み付け構造。
【請求項２】
各退避空間２１は、前記挿入具２０の側壁に設けられて間隔をあけて配置された２つのスロット孔２１３を含み、前記２つのスロット孔２１３の間に中間リブ２１５が形成され、かつ前記２つのスロット孔２１３の延伸方向は、前記挿入具２０の延伸方向と相互に平行であることを特徴とする、請求項１に記載のフック孔を有する縦柱の組み付け構造。
【請求項３】
各退避空間２１は、前記挿入具２０とそれに相対応する側壁とが呈する内凹面形態により構成されることを特徴とする、請求項１に記載のフック孔を有する縦柱の組み付け構造。
【請求項４】
前記挿入具２０の横断面が、Ｕ字形状、中空矩形形状、破断状切込み口２３を有するＣ字形状、またはＨの文字を二重にした形状のいずれか１種の形状であることを特徴とする、請求項２または３に記載のフック孔を有する縦柱の組み付け構造。
【請求項５】
前記第１位置規制孔２２１及び第２位置規制孔２２２がネジ孔形態であり、前記第１締結部３１及び第２締結部３２は、それに合わせてネジボルト形態で設けられ、かつ前記２本の縦柱１０の相異なる端部のジョイント開口１２を互いに組み付ける位置は、前記挿入具２０に設けられた退避空間２１の一端側と、第１位置規制孔２２１及び第２位置規制孔２２２のうちのいずれか１つとの間に対応することを特徴とする、請求項４に記載のフック孔を有する縦柱の組み付け構造。
【考案の詳細な説明】
【技術分野】
【０００１】
本考案は、物品棚の縦柱のジョイント構造に係り、特に、フック孔を有する縦柱の斬新な組み付け構造の開示に関するものである。
【背景技術】
【０００２】
一般的によく見られる物品棚の構造主体は、通常、複数本の縦柱及び横棒を組み継いで構成され、そのうち、各縦柱は、単一の棒体から構成されてもよいが、物品棚の高さが比較的に高い場合には、２本のユニット棒体を上下に組み付けて延伸する方式を採用して縦柱を構成することもある。
【０００３】
従来の物品棚の縦柱のユニット棒体を上下に組み付ける形態としてよく見られるものは、各ユニット棒体の一端部に縮径部分が設けられ、前記縮径部分の外径は、丁度その組み付ける他方のユニット棒体の端部の開口内に合わせて圧入可能に定められるか、あるいはネジ軸をネジ孔に螺合する方式により、そのユニット棒体の上下に組み付け状態が達成される。もしくは業界では、各ユニット棒体の上、下端はいずれも直筒状の開口形態に設けられてなり、その上で双頭状組継ぎヘッドを別設することもあり、前記双頭状組継ぎヘッドは、上下に組み付けを行う２本のユニット棒体の端部の開口内に挿入するための向きが反対の２つの挿入端を有することにより、そのユニット棒体の上下に組み付け状態が達成される。
【考案の概要】
【考案が解決しようとする課題】
【０００４】
しかし、上記段落に述べた従来の物品棚の縦柱のユニット棒体を上下に組み付ける形態は、実際の応用経験において、依然としていくつかの問題点が存在することが発見された。例を挙げて言えば、現在の物品棚の縦柱の形態にも変革をもたらすことから、例えば、いくつかの物品棚の縦柱と横棒は、フック位置規制方式を採用して組合せ状態が達成され、この種の構造形態において、その縦柱の相対応する側壁には、通常、横棒の端部に設けられるフック体に合わせて引掛けるための所定形態と数量のフック孔のパターンが設けられている。しかしながら、仮に物品棚の縦柱は、前文に述べた従来のユニット棒体の上下に組み付ける形態を採用するとき、２本のユニット棒体の組み付け箇所には内管壁を有する１節の挿入部位が形成されるので、例え前記挿入部位に対応する縦柱の側壁にフック孔のパターンが設けられる場合であっても、前述した内管壁による阻止により、横棒の端部に設けられるフック体が縦柱の側壁に設けられるフック孔のパターンに引掛けられなくなるという問題を招く結果となり、横棒の組み付け設置の完全性及び柔軟性に影響を与える（註：２本のユニット棒体の組み付け箇所の一部領域には横棒を装着できなくなるため）弊害も招いていた。
【０００５】
本考案は、フック孔を有する縦柱の組み付け構造を提供することを主な目的とし、その解決しようとする技術的課題は、如何にしてより理想的で実用性のあるオリジナルな縦柱の組み付け構造を研究開発するかを目標として革新突破を思案することである。
【課題を解決するための手段】
【０００６】
以上の目的に基づき、本考案の課題を解決するための技術的特長によれば、主としてかかるフック孔を有する縦柱の組み付け構造は、上下に組み付ける２本の縦柱と、挿入具とを備え、各縦柱は、４つの側壁を含む矩形中空筒形態であり、そのうちの少なくとも２つの側壁に上下に間隔をあけて配置されている複数のフック孔のパターンが設けられ、縦柱の２つの端部にいずれもジョイント開口を有し、かつ縦柱の側壁の各ジョイント開口に近接する箇所に第１締結孔と、第２締結孔とが形成され、かつそのうちの１つの端部のジョイント開口と、それに近接する第１締結孔及び第２締結孔のうちのいずれか１つとの間にフック孔のパターンが設けられ、２本の縦柱は、相異なる端部のジョイント開口を介して互いに組み付けると、その組み付け箇所に近接する区間としての第１締結孔と第２締結孔との間にフック孔のパターンを有する配置形態が構成され、挿入具は、双方向挿入形態で２本の縦柱の相異なる端部のジョイント開口の間に組み合わせられ、挿入具の横断面形状は、各縦柱のジョイント開口への挿入に適合し、かつ挿入具は、さらに挿入具の少なくとも２つの側壁に設けられた少なくとも２つの退避空間と、挿入具の少なくとも１つの側壁に設けられ、かつ少なくとも１つの退避空間の一端側に間隔をあけた箇所に位置する少なくとも１つの第１位置規制孔と、挿入具の少なくとも１つの側壁に設けられ、かつ少なくとも１つの退避空間の他端側に間隔をあけた箇所に位置する少なくとも１つの第２位置規制孔とを有し、前記少なくとも２つの退避空間と、縦柱のジョイント開口に近接する箇所に設けられたフック孔のパターンとを互いに位置合わせして連通させ、かつ退避空間の輪郭外形がフック孔のパターンの輪郭外形よりも大きく形成され、かつ各第１位置規制孔は、それに相対応する第１締結孔と位置合わせされることで、第１締結部により締結され、かつ各第２位置規制孔は、それに相対応する第２締結孔と位置合わせされることで、第２締結部により締結されているものである。
【考案の効果】
【０００７】
この斬新な独特の構成によれば、本考案は、従来の技術に比較すると、フック孔を有する縦柱が組み付けを達成する好適な構造形態が提供され、２本の縦柱の端部の組み付け部位に近接する区間では、物品用の棚構造の多様かつ柔軟に変化可能な要求に応えるために、横棒の端部に引掛け組み合わせられるための機能の要請を実現することができ、特に実用的利点を有する。
【図面の簡単な説明】
【０００８】
【図１】本考案の好適な実施形態の構成部品の組合せ斜視図である。
【図２】本考案の好適な実施形態の構成部品の分解斜視図である。
【図３】本考案の好適な実施形態の構成部品の一部組合せ状態の縦方向断面図である。
【図４】本考案の好適な実施形態の構成部品の組合せ状態の縦方向断面図である。
【図５】本考案の好適な実施形態の構成部品の組合せ状態の横方向断面図である。
【図６】本考案の挿入具の形態変化例の一つである。
【図７】本考案の挿入具の形態変化例の他の一つである。
【図８】本考案の挿入具の形態変化例の他の一つである。
【図９】本考案の挿入具の形態変化例の他の一つである。
【考案を実施するための形態】
【０００９】
図１〜図５に示すのは、本考案のフック孔を有する縦柱の組み付け構造の好適な実施形態であるが、これらの実施形態は説明のみに用いられるもので、実用新案登録請求の際、それらの構造に制限されないものとする。
【００１０】
かかるフック孔を有する縦柱の組み付け構造は下記の構成、すなわち、上下に組み付ける２本の縦柱１０と、挿入具２０とを備えている。各前記縦柱１０は、４つの側壁を含む矩形中空筒形態であり、そのうちの少なくとも２つの側壁に上下に間隔をあけて配置されている複数のフック孔のパターン１１が設けられ、前記縦柱１０の２つの端部にいずれもジョイント開口１２，１２Ｂを有し、かつ前記縦柱１０のかかるフック孔のパターン１１が設けられた側壁の各前記ジョイント開口１２，１２Ｂに近接する箇所に第１締結孔１３１と、第２締結孔１３２とが形成され、かつそのうちの１つの端部のジョイント開口１２Ｂと、それに近接する第２締結孔１３２（または第１締結孔１３１）との間にフック孔のパターン１１が設けられ、２本の縦柱１０は、相異なる端部のジョイント開口１２，１２Ｂを互いに組み付けると（図４と図５参照）、その組み付け箇所に近接するかかる区間としての第１締結孔１３１と第２締結孔１３２との間にフック孔のパターン１１を有する配置形態が構成される。挿入具２０、例えば中間ブラケットは、双方向挿入形態で前記２本の縦柱１０の相異なる端部のジョイント開口１２，１２Ｂの間に組み合わせられ、前記挿入具２０の横断面形状は（後に詳述）、各前記縦柱１０のジョイント開口１２，１２Ｂへの挿入に適合している。かつ前記挿入具２０は、さらに前記挿入具２０の少なくとも２つの側壁に設けられた少なくとも２つの退避空間２１と、前記挿入具２０の少なくとも１つの側壁に設けられ、かつ少なくとも１つの退避空間２１の一端側に間隔をあけた箇所に位置する少なくとも１つの第１位置規制孔２２１と、前記挿入具２０の少なくとも１つの側壁に設けられ、かつ少なくとも１つの退避空間２１の他端側に間隔をあけた箇所に位置する少なくとも１つの第２位置規制孔２２２とを有する。前記少なくとも２つの退避空間２１と、前記縦柱１０のジョイント開口１２Ｂに近接する箇所に設けられたフック孔のパターン１１とを互いに位置合わせして連通させ、かつ前記少なくとも２つの退避空間２１の輪郭外形が前記フック孔のパターン１１の輪郭外形よりも大きく形成されている。かつ各第１位置規制孔２２１は、それに相対応する第１締結孔１３１と位置合わせされることで、第１締結部３１により締結されている。かつ各第２位置規制孔２２２は、それに相対応する第２締結孔１３２と位置合わせされることで、第２締結部３２により締結されている。
【００１１】
図２に示すように、本例において、各退避空間２１は、前記挿入具２０の側壁に設けられて間隔をあけて配置された２つのスロット孔２１３を含み、前記２つのスロット孔２１３の間に中間リブ２１５が形成され、かつ前記２つのスロット孔２１３の延伸方向は、前記挿入具２０の延伸方向と相互に平行である（註：本例は、図面においてスロット孔２１３及び挿入具２０は、いずれも上下の延伸方向である）。本例において、各２つのスロット孔２１３の間に形成された中間リブ２１５は、挿入具２０に対して曲げ力に抗する補強作用を発現する。
【００１２】
上記の構造組立形態と技術的特徴により、本考案に例示されたフック孔を有する縦柱の組み付け構造では、具体的応用上、図１〜図５に示すように、その２本の縦柱１０は、相異なる端部のジョイント開口１２，１２Ｂを互いに突き合わせると共に、挿入具２０が双方向挿入形態でそれぞれ２本の縦柱１０の相異なる端部のジョイント開口１２，１２Ｂ内に挿入されている。そのうち、挿入具２０に設けられた退避空間２１と、縦柱１０のジョイント開口１２Ｂに近接する箇所に設けられたフック孔のパターン１１とを互いに位置合わせし、挿入具２０に設けられた第１位置規制孔２２１は、縦柱１０の第１締結孔１３１と位置合わせされ、その上で第１締結部３１により締結される。一方、挿入具２０に設けられた第２位置規制孔２２２は、縦柱１０の第２締結孔１３２と位置合わせされ、その上で第２締結部３２により締結され、ここで２本の縦柱１０の端部が突き合わされる組み付け状態に達した上、その縦柱１０のジョイント開口１２Ｂに近接する箇所に設けられたフック孔のパターン１１は、所定の横棒４０の端部に設けられた掛けフック群４１と位置合わせされて組み付け状態を達成するために供される。また挿入具２０に設けられた退避空間２１と、縦柱１０に設けられたフック孔のパターン１１とを互いに位置合わせする技術的特徴により、前述した掛けフック群４１に円滑にその掛合機能を提供することが達成されるため、２本の縦柱１０の端部の組み付け部位に近接する区間では、物品用の棚構造の多様かつ柔軟に変化可能な要求に応えるために、横棒４０の端部に引掛け組み合わせられるための機能の要請を実現することもできる。
【００１３】
そのうち、前記挿入具２０の横断面が、Ｕ字形状、中空矩形形状、破断状切込み口２３を有するＣ字形状、またはＨの文字を二重にした形状のいずれか１種の形状である。具体的に言えば、図２と図５に例示された挿入具２０のように、その横断面がＵ字形状で連続的に９０度垂直に折り曲げた３辺の側壁を有し、残りの側が開放側となり、またその退避空間２１は、対向する２つの側壁に設けられている中間ブラケットの形態であってもよい。図６に例示された挿入具２０Ｂのように、その退避空間２１は、３つの側壁にいずれも設けられる形態であってもよい。なお、図７に例示された挿入具２０Ｃは、その横断面が中空矩形形状で包囲密閉状の４つの側壁を有する。かかる中空矩形形状は、正方形や長方形などの具体的な形状を含み、かつ本例において、その利点は、退避空間２１は、４つの側壁にいずれも分布されて設けられた形態であってもよく、棚構造の伸展性が最適となるが、この種の中空矩形態様において、その退避空間２１は、そのうちの２つまたは３つの側壁のみに設けた実施形態であってもよい。また、図８に例示された挿入具２０Ｄは、その横断面がほぼＣ字形状を呈するように一側に破断状切込み口２３が形成されることも具体的な実施形態として有効な手段となり、前述した横断面がＵ字形状であるものに比べ、本例ではより優れた剛性を有する。
【００１４】
図２と図３に示すように、本例において、前記第１位置規制孔２２１及び第２位置規制孔２２２がネジ孔形態であり、前記第１締結部３１及び第２締結部３２は、それに合わせてネジボルト形態で設けられている。
【００１５】
図９に示す例において、各退避空間２１Ｂは、前記挿入具２０Ｅとそれに相対応する側壁とが呈する内凹面形態により構成される。また、本例において例示された挿入具２０Ｅは、その横断面がほぼＨの文字を二重にした形状を呈するように形成されている。この形態は具体的にアルミ押出型材料から構成されてもよく、かつ言及に値するのは、本例において、その退避空間２１Ｂと第１位置規制孔２２１、第２位置規制孔２２２が挿入具２０Ｅの異なる側壁部位に形成されることも具体的な実施形態として有効な手段となる。
【００１６】
また、そのうち、図２と図３のように、前記２本の縦柱１０の相異なる端部のジョイント開口１２，１２Ｂを互いに組み付ける位置は、前記挿入具２０に設けられた退避空間２１の一端側と、第１位置規制孔２２１（または第２位置規制孔２２２）との間に対応する。
【００１７】
補充説明すべき点は、上記の実施形態の図面において、かかる第１位置規制孔２２１及び第２位置規制孔２２２は、いずれも対向する２つの側壁に形成されることで、第１締結部３１及び第２締結部３２で二組一対の締結形態になるものの、一般的に言えば、仮に縦柱１０及び挿入具２０は、いずれも金属材料から作製される場合であれば、かかる第１締結部３１及び第２締結部３２が一方の側のみ締結を行っても、実に十分に使用に耐える強固状態に既に達している。かかる第１位置規制孔２２１及び第２位置規制孔２２２のうち、少なくとも１つのみを設ける構成とすればよいと考えられる。
【００１８】
さらに、以下の実施態様を付記する。
２本の縦柱は第１及び第２縦柱であり、フック孔のパターン（１１）は第１縦柱（１０）に形成されていることを特徴とする、フック孔を有する縦柱の組み付け構造。
（なお、さらに第２縦柱にフック孔のパターン（１１）を形成してもよい。）
第２縦柱は第１縦柱よりも上方に位置することを特徴とする、フック孔を有する縦柱の組み付け構造。
【符号の説明】
【００１９】
１０：縦柱
１１：フック孔のパターン
１２，１２Ｂ：ジョイント開口
１３１：第１締結孔
１３２：第２締結孔
２０，２０Ｂ，２０Ｃ，２０Ｄ，２０Ｅ：挿入具
２１，２１Ｂ：退避空間
２１３：スロット孔
２１５：中間リブ
２２１：第１位置規制孔
２２２：第２位置規制孔
２３：破断状切込み口
３１：第１締結部
３２：第２締結部
４０：横棒
４１：掛けフック群
【図１】
0003218113.tif 000003
【図２】
0003218113.tif 000004
【図３】
0003218113.tif 000005
【図４】
0003218113.tif 000006
【図５】
0003218113.tif 000007
【図６】
0003218113.tif 000008
【図７】
0003218113.tif 000009
【図８】
0003218113.tif 000010
【図９】
0003218113.tif 000011